【手続補正書】
【提出日】平成26年9月22日(2014.9.22)
【手続補正１】
【補正対象書類名】特許請求の範囲
【補正対象項目名】全文
【補正方法】変更
【補正の内容】
【特許請求の範囲】
【請求項１】
音声を帯域毎に出力する複数のスピーカと、
複数の帯域を含む音声信号を、前記複数のスピーカの特性に応じて補正する補正フィルタと、
前記補正フィルタにより補正された音声信号を、それぞれの位相特性の位相差が略０度、または略１８０度となるように、前記スピーカの帯域に分割する複数の帯域分割フィルタとを含み、
前記補正フィルタは、前記複数の帯域分割フィルタを介して、前記複数のスピーカより帯域毎に出力される音声に基づいたインパルスレスポンスにより設定される逆フィルタである
音声処理装置。
【請求項２】
前記複数の帯域分割フィルタは、前記補正フィルタにより補正された音声信号のうち、所定の周波数帯域についてのみ、それぞれの位相特性の位相差が略０度、または略１８０度となるように、前記スピーカの帯域に分割する
請求項１に記載の音声処理装置。
【請求項３】
前記音声信号を増幅する増幅部をさらに含み、
前記増幅部は、
前記帯域分割フィルタにより分割される前の前記音声信号を増幅する１の増幅部である、または、
前記帯域分割フィルタにより分割された帯域毎の前記音声信号をそれぞれ増幅する複数の増幅部である
請求項１または２に記載の音声処理装置。
【請求項４】
前記音声信号に他の音声処理装置の音響特性を付加する付加フィルタをさらに含み、
前記他の音声処理装置の音響特性は、ネットワークにより接続されたライブラリよりダウンロードされる
請求項１および３のいずれかに記載の音声処理装置。
【請求項５】
前記付加フィルタは、
前記帯域分割フィルタにより分割される前の前記音声信号に前記他の音声処理装置の音響特性を付加する１の付加フィルタである、または、
前記帯域分割フィルタにより分割された帯域毎に前記他の音声処理装置の音響特性を付加する複数の付加フィルタである
請求項４に記載の音声処理装置。
【請求項６】
入力される前記音声信号は、マルチチャンネルの音声信号であって、頭部伝達関数により音像定位された音声信号が合成されたものであり、
請求項１および５のいずれかの音声処理装置からなるイヤホン。
【請求項７】
音声を帯域毎に出力する複数のスピーカを含む音声処理装置の音声処理方法であって、
複数の帯域を含む音声信号を、前記複数のスピーカの特性に応じて補正する補正フィルタ処理し、
前記補正フィルタ処理により補正された音声信号を、それぞれの位相特性の位相差が略０度、または略１８０度となるように、前記スピーカの帯域に分割する複数の帯域分割フィルタ処理し、
前記補正フィルタは、前記複数の帯域分割フィルタを介して、前記複数のスピーカより帯域毎に出力される音声に基づいたインパルスレスポンスにより設定される逆フィルタである
音声処理方法。
【請求項８】
音声を帯域毎に出力する複数のスピーカを含む音声処理装置を制御するコンピュータを、
複数の帯域を含む音声信号を、前記複数のスピーカの特性に応じて補正する補正フィルタと、
前記補正フィルタにより補正された音声信号を、それぞれの位相特性の位相差が略０度、または略１８０度となるように、前記スピーカの帯域に分割する複数の帯域分割フィルタとして機能させ、
前記補正フィルタは、前記複数の帯域分割フィルタを介して、前記複数のスピーカより帯域毎に出力される音声に基づいたインパルスレスポンスにより設定される逆フィルタである
プログラム。
【請求項９】
請求項８に記載のプログラムが記録されている記録媒体。
【手続補正２】
【補正対象書類名】明細書
【補正対象項目名】００１５
【補正方法】変更
【補正の内容】
【００１５】
前記付加フィルタは、前記帯域分割フィルタにより分割される前の前記音声信号に前記他の音声処理装置の音響特性を付加する１の付加フィルタとしてもよいし、または、前記帯域分割フィルタにより分割された帯域毎に前記他の音声処理装置の音響特性を付加する複数の付加フィルタとするようにしてもよい。
【手続補正３】
【補正対象書類名】明細書
【補正対象項目名】００２８
【補正方法】変更
【補正の内容】
【００２８】
帯域分割フィルタ１３−１，１３−２は、例えば、IIR（Infinite impulse response）フィルタなどからなるデジタルフィルタであり、補正フィルタ１２により補正された音声信号を、それぞれ帯域毎に分割して、それぞれ増幅部１４−１，１４−２に出力する。帯域分割フィルタ１３−１，１３−２は、図１においては、帯域分割フィルタ１３−１が高周波数帯域の音声信号を抽出し、帯域分割フィルタ１３−２が低周波数帯域の音声信号を抽出する。増幅部１４−１，１４−２は、それぞれ所定の帯域の音声信号を増幅してスピーカ１５−１，１５−２より音声として出力させる。スピーカ１５−１，１５−２は、それぞれ出力する音声の周波数帯域が異なるものであり、図１の例においては、スピーカ１５−１は、高周波数帯域の音声信号を出力し、スピーカ１５−２は、低周波数帯域の音声信号を出力する。尚、図１においては、増幅部１４−１，１４−２は、デジタル音声信号を増幅するデジタル信号増幅処理をして、アナログ信号に変換してスピーカ１５−１，１５−２に出力する例が示されているが、デジタル音声信号をアナログ変換した後、アナログ信号増幅処理をするようにしてもよい。
【手続補正４】
【補正対象書類名】明細書
【補正対象項目名】００４９
【補正方法】変更
【補正の内容】
【００４９】
結果として、スピーカ１１５−１，１１５−２を含めた出力部１０１の全体としての周波数振幅特性、および周波数位相特性が改善されることになるので、広帯域で、かつ、トーンバランスに優れる高音質化された音声を出力することが可能となる。
【手続補正５】
【補正対象書類名】明細書
【補正対象項目名】００５１
【補正方法】変更
【補正の内容】
【００５１】
また、帯域分割フィルタにおける周波数位相特性の位相差は略０度乃至略９０度程度の範囲であれば、対応する周波数帯域については、周波数振幅特性を略フラットにすることができることが経験的にわかっている。さらに、帯域分割フィルタにおける周波数位相特性の位相差は、略１８０度とするようにしても、対応する周波数帯域については、周波数振幅特性を略フラットにすることができる場合があることが知られている。この場合、帯域分割フィルタにおける周波数位相特性の位相差は略９０度乃至略１８０度程度の範囲であれば、対応する周波数帯域についても、周波数振幅特性を略フラットにすることができることがわかっている。したがって、帯域分割フィルタにおける周波数位相特性の位相差は略０度とするか、または、略１８０度とすることで、周波数振幅特性を略フラットにするようにしてもよい。
【手続補正６】
【補正対象書類名】明細書
【補正対象項目名】００７３
【補正方法】変更
【補正の内容】
【００７３】
＜５．第４の変形例＞
［出力部をイヤホンに適用した構成例］
以上においては、出力部１０１をスピーカとして構成する例について説明してきたが、近年においては、イヤホンもバランスアマチュアスピーカを利用したものが存在することから、上述した出力部１０１の構成をイヤホンに適用するようにしてもよい。さらに、イヤホンによるバーチャル再生などにより、音像定位の効果をさらに高めるようにしてもよい。
【手続補正７】
【補正対象書類名】明細書
【補正対象項目名】００７６
【補正方法】変更
【補正の内容】
【００７６】
より詳細には、図１８の右部で示されるように、イヤホン１７１は、出力部１０１−１，１０１−２により構成される。図１８の右図においては、イヤホン１７１の出力部１０１−１は、左チャンネルＬの音声を出力し、出力部１０１−２が、右チャンネルＲの音声を出力する。また、スピーカＬｖ，Ｃｖ，Ｒｖを音源とするそれぞれの音声信号Ｌｖ，Ｃｖ，Ｒｖのうち、ユーザＨの左耳に左チャンネルＬとして到達する音声信号は、それぞれの頭部伝達関数が図１８の左部で示されるそれぞれの経路ＬＬ，ＣＬ，ＲＬに対応して、図１８の右部で示される頭部伝達関数ＬＬ，ＣＬ，ＲＬで表現されるとき、それぞれ音声信号Ｌｖ×ＬＬ，Ｃｖ×ＣＬ，Ｒｖ×ＲＬとなる。同様に、スピーカＬｖ，Ｃｖ，Ｒｖを音源とするそれぞれの音声信号Ｌｖ，Ｃｖ，Ｒｖのうち、ユーザＨの右耳に右チャンネルＲとして到達する音声信号は、それぞれの頭部伝達関数が図１８の左部で示されるそれぞれの経路ＬＲ，ＣＲ，ＲＲに対応して、図１８の右部で示される頭部伝達関数ＬＲ，ＣＲ，ＲＲで表現されるとき、それぞれ音声信号Ｌｖ×ＬＲ，Ｃｖ×ＣＲ，Ｒｖ×ＲＲとなる。
【手続補正８】
【補正対象書類名】明細書
【補正対象項目名】０１０１
【補正方法】削除
【補正の内容】
【手続補正９】
【補正対象書類名】図面
【補正対象項目名】図１０
【補正方法】変更
【補正の内容】
【図１０】
2013085111.tif 000001
【手続補正１０】
【補正対象書類名】図面
【補正対象項目名】図１３
【補正方法】変更
【補正の内容】
【図１３】
2013085111.tif 000002
【手続補正１１】
【補正対象書類名】図面
【補正対象項目名】図１５
【補正方法】変更
【補正の内容】
【図１５】
2013085111.tif 000003
【手続補正１２】
【補正対象書類名】図面
【補正対象項目名】図１７
【補正方法】変更
【補正の内容】
【図１７】
2013085111.tif 000004